(57)【要約】      （修正有）【課題】バランス能力を向上し、且つ収納に便利な、ボートの構造を提供する。【解決手段】ボート本体１０と、複数の取り外し可能な棒体２０と、複数の取り外し可能なフロート３０とからなる。ボート本体は、外部とつながった収容スペース１１と、複数の第一固定台座１２と、複数の第二固定台座１３とからなる。第一固定台座はそれぞれボート本体の前後両端に互いに対応するように設けられるとともに、第一固定台座には棒体が縱向きに設けられる。フロートは収容スペース内に収容されるとともに、頂面にそれぞれ複数の第三固定台座３１が設けられる。【選択図】図１
0003190708.tif 000002
【実用新案登録請求の範囲】
【請求項１】
ボート本体と、複数の取り外し可能な棒体と、複数の取り外し可能なフロートとからなるボートの構造であって、
前記ボート本体は、外部とつながった収容スペースと、複数の第一固定台座と、複数の第二固定台座とからなり、
前記第一固定台座は、それぞれ前記ボート本体の前後両端における頂面に互いに対応するように設けられ、
前記第二固定台座は、それぞれ前記ボート本体の後端頂面における両側に互いに対応するように設けられ、
前記棒体は、横向きに前記第二固定台座上に設けられ、
前記フロートは、頂面にそれぞれ複数の第三固定台座が設けられ、
さらに前記棒体の両端は、それぞれ前記フロートの第三固定台座と結合されることを特徴とする、ボートの構造。
【請求項２】
取り外し可能な前記フロートは、取り外されてから前記ボート本体の収容スペース内に収容され、
前記第一固定台座には、それぞれ複数の取り外し可能な棒体が縱向きに設けられ、
前記第二固定台座は、それぞれ前記ボート本体後端の頂面における両側上に互いに対応するように設けられることを特徴とする、請求項１に記載のボートの構造。
【請求項３】
取り外し可能な前記棒体は、取り外されてから前記第一固定台座上に縱向きに設けられ、
前記フロートは、取り外されてから前記ボート本体の収容スペース内に収容されることを特徴とする、請求項１に記載のボートの構造。
【請求項４】
取り外し可能な前記棒体には、それぞれ固定部が設けられ、
前記固定部は、互いに対応し合うとともに、オールを取り付けるために用いられることを特徴とする、請求項３に記載のボートの構造。
【請求項５】
取り外し可能な前記棒体には、それぞれ固定部が設けられ、
前記固定部は、互いに対応し合うとともに、オールを取り付けるために用いられることを特徴とする、請求項１に記載のボートの構造。
【考案の詳細な説明】
【技術分野】
【０００１】
本考案は、ボート本体に関し、特にボート本体両側にそれぞれバランスをとるためのフロートを有するとともに、ボート本体を使用しない時にフロート等の装置を船倉に収納することができる、ボートの構造に関する。
【背景技術】
【０００２】
従来の小船（例えば丸木舟など）は、船身が狭く細長いため、初心者にとって、側方のバランスを保つことは簡単ではなく、側方に転倒しやすい。もちろん救命衣等の安全設備があり、操縦者を守ることができるものの、船体が転倒した時には、どのような事態が起こるか分からない。よって、如何にしてバランスを維持して転倒率を下げるかが最も改善を要する点である。
【０００３】
さらに、従来の小船においてバランスを維持する場合、バランスを維持するための装置を付け加えることが一般的である。しかし、バランス装置は一定の効果を得ることができるものの、使用しない時に船体内に収納して固定することができないため、運搬時に不便であり、且つ保管のためのスペースが別途必要になる。
【考案の概要】
【考案が解決しようとする課題】
【０００４】
本考案は、ボート本体後端上に設けられた二つの棒体の両側にそれぞれフロートが連結され、ボート本体における横向き及び縦向きの浮力構造を強化することにより、ボート本体の横向き及び縦向きのバランス能力を向上させることができる、ボートの構造を提供することを目的とする。
【０００５】
また本考案は、棒体及びフロートがいずれも取り外し可能であるとともに、所定の位置に収納して固定することが可能であり、ボートを使用しない時に効果的にボート本体の体積を縮小して一体化することができるため、運搬に便利且つ余分な保管スペースを必要としない、ボートの構造を提供することを目的とする。
【課題を解決するための手段】
【０００６】
上述の目的を達成するため、本考案のボートの構造は、ボート本体と、複数の取り外し可能な棒体と、複数の取り外し可能なフロートとからなる。ボート本体は、外部とつながった収容スペースと、複数の第一固定台座と、複数の第二固定台座とからなる。第一固定台座は、それぞれボート本体の前後両端に設けられて、互いに対応し合う。さらに第一固定台座には、取り外し可能な棒体が縱向きに設けられる。取り外し可能なフロートは、収容スペース内に収容されるとともに、頂面にそれぞれ複数の第三固定台座が設けられる。
【図面の簡単な説明】
【０００７】
【図１】本考案のボートの構造を示した斜視分解図である。
【図２】本考案のボートの構造を示した斜視外観図である。
【図３】本考案のボートの構造における収納状態を示した概略図である。
【考案を実施するための形態】
【０００８】
まず、図１及び図２を参照する。本考案のボートの構造１は、一つのボート本体１０と、複数の取り外し可能な棒体２０と、複数の取り外し可能なフロート３０とからなる。
【０００９】
ボート本体１０は、外部とつながった収容スペース１１と、複数の第一固定台座１２と、複数の第二固定台座１３とからなる。第一固定台座１２は、それぞれボート本体１０の前後両端における頂面に設けられて、互いに対応し合う。第二固定台座１３は、それぞれボート本体１０の収容スペース１１における後端の頂面に設けられて、互いに対応し合う。
【００１０】
取り外し可能な棒体２０は、第二固定台座１３上にそれぞれ横向きに設けられるとともに、それぞれ固定部２１を備え、固定部２１が互いに対応し合う。さらに棒体２０は、ボート本体１０の左側或いは右側に取り外し可能な状態で設けられ、且つオール２２を取り付けるために用いられる。
【００１１】
取り外し可能なフロート３０は、頂面にそれぞれ複数の第三固定台座３１を有する。取り外し可能な棒体２０の両端は、それぞれフロート３０の第三固定台座３１と結合されて、展開状態をなす。
【００１２】
取り外し可能な棒体２０と取り外し可能なフロート３０を組み合わせることにより、ボート本体における横向き及び縦向きの浮力構造を強化し、ボート本体１０の横向き及び縦向きのバランス能力を向上させる。
【００１３】
図３を参照する。図は、本考案のボートの構造１における収納状態を示した概略図である。
【００１４】
前述した取り外し可能なフロート３０は、取り外されてから、ボート本体１０の収容スペース１１内に収納される。
【００１５】
前述した取り外し可能な棒体２０は、取り外されてから、第一固定台座１２上に縦向きに設けられる。
【００１６】
前述したオール２２は、棒体２０及びフロート３０が収納されて、棒体２０の固定部２１が取り外されてから、複数の縄体によって縦向きに棒体２０上にそれぞれ結合されることにより、収納状態となる。
【符号の説明】
【００１７】
１      ボートの構造
１０    ボート本体
１１    収容スペース
１２    第一固定台座
１３    第二固定台座
２０    棒体
２１    固定部
２２    オール
３０    フロート
３１    第三固定台座
【図１】
0003190708.tif 000003
【図２】
0003190708.tif 000004
【図３】
0003190708.tif 000005